(57)【要約】      （修正有）【課題】人形収納箱を飾り台として使用できると共に、補助台をなくして収納箱の小形化が可能となり、製造コストを低減することができる飾り台兼人形収納箱を提供する。【解決手段】飾り台１のベース板４の下面に、板状空間の被嵌合凹部６が設けられる。人形収納箱１０の上部には、被嵌合凹部６に嵌合可能な板状嵌合部１３が形成される。開口した人形収納箱１０の底部は飾り台１のベース板４の上部に嵌合可能に形成される。人形を飾る場合、人形３を固定した飾り台１を人形収納箱１０の上に、飾り台１の被嵌合凹部６を人形収納箱１０の上部の板状嵌合部１３に嵌め込んで載置する。一方、人形を収納する場合、人形３を覆うように人形収納箱１０を飾り台１上に被せ、人形収納箱１０の底部開口１５を飾り台１のベース板４の上部に嵌め込む。【選択図】図３
0003161902.tif 000002
【実用新案登録請求の範囲】
【請求項１】
ベース板上に人形を載置し固定してなる飾り台と、
開口した底部を有し、該飾り台を上から該人形を覆うように被せられる人形収納箱と、
を備えた飾り台兼人形収納箱であって、
該飾り台のベース板の下面には、板状空間の被嵌合凹部が設けられ、
該人形収納箱の上部には、該被嵌合凹部に嵌合可能な板状嵌合部が形成され、
開口した該人形収納箱の底部は該飾り台の該ベース板の上部に嵌合可能に形成され、
該人形を飾る場合、該人形を固定した飾り台を該人形収納箱の上に、該飾り台の該被嵌合凹部を該人形収納箱の上部の板状嵌合部に嵌め込んで載置し、
該人形を収納する場合、該人形を覆うように該人形収納箱を該飾り台上に被せ、該人形収納箱の底部開口を該飾り台の該ベース板の上部に嵌め込むことを特徴とする飾り台兼人形収納箱。
【請求項２】
前記飾り台及び前記人形収納箱の平面形状が略小判形に形成されていることを特徴とする請求項１記載の飾り台兼人形収納箱。
【請求項３】
前記人形収納箱の正面に、装飾模様または装飾絵が施されたことを特徴とする請求項１記載の飾り台兼人形収納箱。
【考案の詳細な説明】
【技術分野】
【０００１】
本考案は、節句人形などを飾り台の上に置いて飾り、飾る時期を外れた人形は人形収納箱に収納するように使用される飾り台兼人形収納箱に関する。なお、この明細書で記載する人形とは、節句人形などの各種人形のほか、飾り物を含む概念である。
【背景技術】
【０００２】
３月の雛の節句人形や５月の端午の節句人形など、特定の季節に飾る人形（飾り物を含む）は、その季節を終えるとケースなどに収納し、押入れなどに仕舞われる。このため、下記特許文献１に記載されるように、節句人形を収納して仕舞うための人形ケースが提案されており、この種の人形ケースは、通常、ケース台の上部に矩形のケース枠が取り付けられ、ケース枠は、ガラスなどの透明板を矩形枠に嵌め込んで直方体形状に形成したものである。また、そのケース枠の底部にはケース台が取り付けられ、このケース台付きの人形ケース枠内に、補助台付きの節句人形を収納するようになっている。
【先行技術文献】
【特許文献】
【０００３】
【特許文献１】特開平９−５６５３４号公報
【考案の概要】
【考案が解決しようとする課題】
【０００４】
しかし、この種の人形ケースは、人形ケース枠の周囲を、ガラスなどの透明板で包囲して形成されるため、押入れなどにそのまま収納したとき、ガラスなどの透明板が異物に当り傷つく虞があった。
【０００５】
そこで、従来、親王飾りなどの節句人形を収納し且つ飾り台として使用するために、周囲４面を木板により囲って直方体のケース台とし、そのケース台の上開口部に、蓋兼飾り台を開閉可能に取り付け、節句人形を飾る際には、ケース内から親王飾りを補助台と共に取り出し、その状態で、蓋兼飾り台をケース台の上に被せ、そのケース台上の蓋兼飾り台上に、節句人形を載置して飾るようにした人形ケースが製造されている。この蓋兼飾り台を備えた人形ケースは、節句人形を収納する際には、ケース台内に補助台付きの節句人形を入れ、ケース台の上開口部に蓋兼飾り台を被せて閉鎖し、押入れなどに収納する。
【０００６】
しかし、この従来の人形ケースは、節句人形をケースに収納する際には、節句人形を蓋兼飾り台から取り外して、ケース内に入れる必要があること、及び節句人形単体では、載置した状態での人形の姿勢が不安定となることから、節句人形には補助台が設けられ、補助台上に節句人形を固定するようにしていた。
【０００７】
このため、人形ケースと節句人形全体をみた場合、人形に補助台が必要となり、補助台による製造コストの増大、及び節句人形をケース内に収納する際、補助台ごとケース内に入れるため、ケースの外形形状の増大が課題となっていた。
【０００８】
本考案は、上述の課題を解決するものであり、人形収納箱を飾り台として使用できると共に、補助台をなくして収納箱の小形化が可能となり、製造コストを低減することができる飾り台兼人形収納箱を提供することを目的とする。
【課題を解決するための手段】
【０００９】
本考案に係る請求項１の飾り台兼人形収納箱は、
ベース板上に人形を載置し固定してなる飾り台と、
開口した底部を有し、該飾り台を上から該人形を覆うように被せられる人形収納箱と、
を備えた飾り台兼人形収納箱であって、
該飾り台のベース板の下面には、板状空間の被嵌合凹部が設けられ、
該人形収納箱の上部には、該被嵌合凹部に嵌合可能な板状嵌合部が形成され、
開口した該人形収納箱の底部は該飾り台の該ベース板の上部に嵌合可能に形成され、
該人形を飾る場合、該人形を固定した飾り台を該人形収納箱の上に、該飾り台の該被嵌合凹部を該人形収納箱の上部の板状嵌合部に嵌め込んで載置し、
該人形を収納する場合、該人形を覆うように該人形収納箱を該飾り台上に被せ、該人形収納箱の底部開口を該飾り台の該ベース板の上部に嵌め込むことを特徴とする。
【００１０】
この考案によれば、人形を飾る際、ベース板上に人形を取り付けた飾り台を、人形収納箱の上の板状嵌合部上に載置し嵌合させれば、そのまま豪華な台付き人形として飾ることができ、一方、飾る季節を終えて押入れなどにしまう場合、人形収納箱を飾り台の上に被せ、つまり人形を人形収納箱で覆うように人形収納箱を飾り台のベース板上に、その人形収納箱の底部開口を飾り台のベース板上部に嵌め込めば、そのまま押入れなどに便利に収納することができる。
【００１１】
また、人形は飾り台のベース板の上に固定されているので、従来使用していた人形の補助台が不要となり、補助台をなくすことにより、製造コストを低減し、収納箱の外形形状を小さくすることができる。
【００１２】
また、請求項２の考案は、上記請求項１の飾り台兼人形収納箱において、飾り台及び人形収納箱の平面形状が略小判形に形成されていることを特徴とする。
【００１３】
この考案によれば、人形収納箱の側板部が曲面として形成され、飾り台として機能する人形収納箱の意匠性を向上させることができる。
【００１４】
また、請求項３の考案は、上記請求項１の飾り台兼人形収納箱において、人形収納箱の正面に、装飾模様または装飾絵が施されたことを特徴とする。
【００１５】
この考案によれば、人形収納箱の正面に装飾を施しているため、人形を収納した状態で室内の箪笥の上などに載置した場合でも、人形を飾り台と共に人形収納箱の上に載置して飾ったときと同様に、違和感なく置いておくことができる。
【考案の効果】
【００１６】
この考案の飾り台兼人形収納箱によれば、人形収納箱を飾り台として使用できると共に、補助台をなくして収納箱の小形化が可能となり、製造コストを低減することができる。
【図面の簡単な説明】
【００１７】
【図１】本考案の一実施形態を示す飾り台兼人形収納箱の斜視図である。
【図２】人形を飾った状態の正面図である。
【図３】飾り台上の人形を収納する際の正面図である。
【図４】人形収納箱内に人形を収納した状態の部分断面付き正面図である。
【考案を実施するための形態】
【００１８】
以下、本考案の一実施形態を図面に基づいて説明する。図１は飾り台兼人形収納箱の斜視図を示し、図２は人形を飾った状態の正面図を示し、図３はそれを収納する際の正面図を示している。この飾り台兼人形収納箱は、基本的には、ベース板４上に人形３を載置し固定してなる飾り台１と、開口した底部を有し、飾り台１の上から人形３を覆うように被せられる人形収納箱１０と、から構成される。
【００１９】
飾り台１は、図３に示すように、板状のベース板４上に屏風２を固定し、屏風２の前方に端午の節句人形などの人形３を載置した状態で固定して構成される。ベース板４は飾り台１の基板となる部分であり、平面を略小判形に形成され、ベース板４の下面には、図３のように、板状空間として被嵌合凹部６が形成される。このベース板４の底面に形成された板状の被嵌合凹部６は、人形収納箱１０の天井部１１の板状嵌合部１３に嵌合する大きさと形状に形成され、図２のように、飾り台１を人形収納箱１０の上に載置したとき、飾り台１を安定して載置できるようになっている。
【００２０】
さらに、ベース板４の上部は、段差をつけて外形寸法を少し小さくした板状のベース板上部５として形成され、このベース板上部５の外周縁形状は、人形収納箱１０の底部開口１５の内側形状と略同じ大きさと形状に形成され、収納時に飾り台１のベース板４の上に人形収納箱１０を被せたとき、その底部開口１５をベース板上部５に嵌め込み可能となっている。
【００２１】
つまり、ベース板上部５はベース板４に対し段差を介して少し小さい寸法の板状に形成され、収納時に、人形収納箱１０を飾り台１の上に被せたとき、人形収納箱１０の底部開口１５がベース板上部５に嵌め込まれ、且つ人形収納箱１０の底部がベース板４の周縁部に当接して人形収納箱１０を飾り台１に対し安定して嵌め込み可能となっている。
【００２２】
なお、図面では、飾り台１に、端午の節句人形を取り付けたが、雛の節句人形を取り付けることもできる。その場合には、屏風２の装飾は雛の節句に合わせたものとし、また、人形収納箱１０の装飾もそれに合わせたものとする。
【００２３】
人形収納箱１０は、図３に示すように、平面形状を略小判形（長円形）とし、底部を開口した箱状に形成され、上述のように、飾り台１の上から人形３を覆うように被せられる形状に形成される。このために、人形収納箱１０の側面を形成する側板部１２は、左右横方向になだらかに湾曲した曲面を形成している。
【００２４】
また、開口した人形収納箱１０の底部つまり底部開口１５は、飾り台１のベース板４のベース板上部５に嵌合可能に形成されている。人形収納箱１０の上部には、飾り台１の被嵌合凹部６が嵌合可能な形状で大きさの板状嵌合部１３が形成され、図２のように人形３を飾る場合、人形３を固定した飾り台１を人形収納箱１０の上に、飾り台１の被嵌合凹部６を人形収納箱１０の上部の板状嵌合部１３に嵌め込んで載置できるようになっている。
【００２５】
さらに、図１などに示すように、人形収納箱１０の正面には、装飾模様または装飾絵が施され、人形３を収納した状態で室内の箪笥の上などに載置した場合でも、人形３を飾り台１と共に人形収納箱１０の上に載置して飾ったときと同様に、違和感なく置いておくことができるようになっている。
【００２６】
なお、上記飾り台１及び人形収納箱１０は、その平面形状が略小判形（長円形）に形成され、それに伴い、人形収納箱１０の側板部１２は曲面を形成していたが、飾り台及び人形収納箱の平面を方形とし、人形収納箱の正面を平坦な面で構成することでもきる。
【００２７】
上記のように構成された飾り台兼人形収納箱は、図１のように、人形３を収納しておく場合、図３のように、人形３を覆うように人形収納箱１０を飾り台１上に被せ、人形収納箱１０の底部開口１５を飾り台１のベース板４の上部に嵌め込むようにする。
【００２８】
これにより、人形３を飾り台１の上に飾った状態で、人形収納箱１０をその上に被せて、簡単に収納することができる。また、収納した状態では、図４に示すように、人形収納箱１０の底部開口１５が飾り台１のベース板上部５に正確に嵌合され、安定した収納状態を保持して、押入れなどに収納しておくことができる。さらに、人形３は飾り台１のベース板４の上に固定されているので、従来使用していた人形の補助台が不要となり、補助台をなくすことにより、製造コストを低減し、人形収納箱１０の外形形状を小さくすることができる
一方、人形３を飾る場合、図２に示すように、人形３を固定した飾り台１を人形収納箱１０の上に、飾り台１の被嵌合凹部６を人形収納箱１０の上部の板状嵌合部１３に嵌め込むようにして載置する。これにより、飾り台１の被嵌合凹部６が人形収納箱１０の上部の板状嵌合部１３に嵌め込まれるので、人形３を固定した飾り台１を安定して人形収納箱１０の上に載置し、人形３を飾ることができる。
【００２９】
なお、上記実施形態では、人形３として端午の節句人形を飾り台１上に飾ったが、勿論、雛節句の雛人形など、他の人形を飾り台１の上に固定して飾ることもできる。その際には、屏風２に施す装飾模様や装飾絵、及び人形収納箱１０の正面に施す装飾模様や装飾絵は、その人形に合わせて付すようにすればよい。
【符号の説明】
【００３０】
１      飾り台
２      屏風
３      人形
４      ベース板
５      ベース板上部
６      被嵌合凹部
１０    人形収納箱
１１    天井部
１２    側板部
１３    板状嵌合部
１５    底部開口
【図１】
0003161902.tif 000003
【図２】
0003161902.tif 000004
【図３】
0003161902.tif 000005
【図４】
0003161902.tif 000006